【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
液体混合物中に含まれる固体を脱水するためのシステムであって、
外向きの外面と、反対に内向きの内面とを備えるフィルタを有し、デッドエンド方式で構成されたフィルタアセンブリと、ここで、前記フィルタは、液体が前記フィルタを通過することを可能とし、かつ１つ以上の固体粒子が前記フィルタを通過することを防止可能な複数の細孔を有しており、
前記フィルタの前記細孔で内方吸引を生成するように構成可能な液体除去アセンブリと、
衝撃波を前記フィルタへ付与するように構成可能な、前記フィルタと繋がった衝撃波アセンブリと、を含むシステム。
【請求項２】
前記フィルタが、前記固体粒子を有する前記液体混合物中に懸吊されている場合に、前記液体除去アセンブリは、前記フィルタの前記細孔を介しての前記液体混合物中の前記液体の通過を促進するとともに、前記フィルタの前記外面で集まり凝集するように、前記液体混合物中の前記固体粒子の蓄積を促進する前記内方吸引を生成するよう構成可能である請求項１に記載のシステム。
【請求項３】
前記衝撃波アセンブリは、前記フィルタの前記外面から凝集した前記固体粒子を除去するように構成可能である請求項１または２に記載のシステム。
【請求項４】
前記フィルタアセンブリを通過する前記液体の流量レートを測定可能な液体流量計をさらに含む請求項１から３のいずれか一項に記載のシステム。
【請求項５】
前記衝撃波アセンブリは、前記液体の前記流量レートが最小閾値未満であるときに、前記衝撃波を前記フィルタへ付与するよう構成可能である請求項４に記載のシステム。
【請求項６】
前記フィルタアセンブリへ接続された液体出口セクションをさらに含み、前記液体出口セクションは、前記フィルタアセンブリを通過する前記液体を排出可能である請求項１から５のいずれか一項に記載のシステム。
【請求項７】
前記液体除去アセンブリは、前記フィルタアセンブリと前記液体出口セクションとの間に導入された液体吸引を含む請求項６に記載のシステム。
【請求項８】
前記液体混合物を収容するための容器をさらに含み、
前記内方吸引は、前記容器内へ正圧を導入することによって生成された圧力差である請求項１から７のいずれか一項に記載のシステム。
【請求項９】
前記液体除去アセンブリは、前記液体の前記流量レートが最小閾値を超えるときに、前記内方吸引を生成するよう構成可能である請求項４に記載のシステム。
【請求項１０】
前記液体除去アセンブリは、前記衝撃波アセンブリが前記衝撃波を前記フィルタへ付与しないときに、前記内方吸引を生成するか、または、
前記フィルタはセラミック膜である、請求項１から９のいずれか一項に記載のシステム。
【請求項１１】
コントローラをさらに含み、前記コントローラは、
前記内方吸引を生成するように前記液体除去アセンブリを構成可能かつ、
前記衝撃波を付与するように前記衝撃波アセンブリを構成可能である請求項１から１０のいずれか一項に記載のシステム。
【請求項１２】
前記コントローラは液体流量計と繋がっており、前記液体流量計は前記フィルタアセンブリを介する前記液体の流量を測定可能であるか、または、
前記コントローラは、前記液体除去アセンブリが前記内方吸引を生成しないように構成されているときに、前記衝撃波を付与するよう前記衝撃波アセンブリを構成する請求項１１に記載のシステム。
【請求項１３】
前記コントローラは、前記フィルタアセンブリを介する前記測定された液体流量が最小閾値を超えるときに、前記内方吸引を生成するよう前記液体除去アセンブリを構成するか、または、
前記コントローラは、前記フィルタアセンブリを介する前記測定された液体流量が最小閾値未満であるときに、前記衝撃波を付与するよう前記衝撃波アセンブリを構成する請求項１２に記載のシステム。
【請求項１４】
アンカーアセンブリをさらに含み、
前記コントローラは、第１の位置で前記フィルタアセンブリの前記フィルタを固定するように前記アンカーアセンブリを構成可能であり、前記第１の位置は、前記液体混合物を収容する容器の内側の位置であり、
前記コントローラは、前記アンカーアセンブリが前記第１の位置で前記フィルタを固定するよう構成されているときに、前記内方吸引を生成するよう前記液体除去アセンブリを構成可能である請求項１１から１３のいずれか一項に記載のシステム。
【請求項１５】
前記コントローラは、前記第１の位置と第２の位置との間で前記フィルタアセンブリの前記フィルタを動かすように前記アンカーアセンブリを構成可能であり、前記第２の位置は、前記容器の外側の位置であり、
前記コントローラは、前記アンカーアセンブリが前記第２の位置で前記フィルタを固定するよう構成されているときに、前記衝撃波を付与するよう前記衝撃波アセンブリを構成可能である請求項１４に記載のシステム。
【手続補正２】
【補正対象書類名】明細書
【補正対象項目名】００７０
【補正方法】変更
【補正の内容】
【００７０】
衝撃波が付与されたとき、固体は、上から下に膜から落下した。それは、落下するとともに、各サイドに同時に蓄積し、全固体が膜から落下したとき、最終的に固体の大きな塊を生成した。脱水された塊は、家畜肥料のようなコンシステンシーを有していた。
［項目１］
固体を脱水する方法であって、
固体粒子を含む液体混合物を受け取るステップと、
上記液体混合物中にフィルタを懸吊するステップと、
上記液体混合物中の上記固体粒子を上記フィルタで凝集するステップであって、上記凝集するステップは、上記フィルタを介する上記液体混合物中の液体の通過を促進するステップ、および上記フィルタで集まり凝集するように、上記液体混合物中の上記固体粒子の蓄積を促進するステップを含み、
上記凝集した固体粒子を上記フィルタから除去可能な衝撃波を、上記フィルタへ付与するステップと、を含むことを特徴とする方法。
［項目２］
上記フィルタを通過する上記液体の流量レートが最小閾値未満であるときに、上記衝撃波が選択的に付与される項目１に記載の方法。
［項目３］
上記衝撃波は、上記フィルタで凝集した上記固体粒子の厚さに基づいて、選択的に付与される項目１に記載の方法。
［項目４］
上記衝撃波は、上記フィルタで凝集した上記固体粒子の層のコンシステンシーに基づいて、選択的に付与される項目１に記載の方法。
［項目５］
上記液体混合物中の上記液体が上記フィルタを通過していないときに、上記衝撃波が付与される項目１に記載の方法。
［項目６］
上記液体混合物から上記フィルタを取り出すステップをさらに含み、
上記フィルタが上記液体混合物から取り出されるときに、上記衝撃波が付与される項目１に記載の方法。
［項目７］
上記フィルタは出口セクションへ接続され、
上記凝集するステップは、上記フィルタを通過して上記出口セクションを通る上記液体の通過を促進するステップを含む項目１に記載の方法。
［項目８］
上記フィルタを介する上記液体の通過は、液体吸引を適用することによって促進される項目１に記載の方法。
［項目９］
上記フィルタを介する上記液体の通過は、圧力差を付与することによって促進される項目１に記載の方法。
［項目１０］
上記圧力差は、上記フィルタと出口セクションとの間に負圧を導入することによって選択的に付与される項目９に記載の方法。
［項目１１］
上記液体混合物は容器に収容され、上記圧力差は、上記容器内へ正圧を導入することによって選択的に付与される項目９に記載の方法。
［項目１２］
上記フィルタを通過する上記液体の流量レートが最小閾値を超えるときに、上記圧力差が選択的に付与される項目９に記載の方法。
［項目１３］
上記圧力差は、上記フィルタで凝集した上記固体粒子の厚さに基づいて、選択的に付与される項目９に記載の方法。
［項目１４］
上記圧力差は、上記フィルタで凝集した上記固体粒子の層のコンシステンシーに基づいて、選択的に付与される項目９に記載の方法。
［項目１５］
上記フィルタを介する上記液体の通過は、定期的に促進される項目１に記載の方法。
［項目１６］
上記衝撃波は、定期的に付与される項目１に記載の方法。
［項目１７］
上記フィルタは、上記液体混合物中の上記固体粒子のサイズに基づいて、選択される項目１に記載の方法。
［項目１８］
当該方法は連続的である項目１に記載の方法。
［項目１９］
固体を脱水する方法であって、
固体粒子を含む液体混合物を受け取るステップと、
上記液体混合物中にフィルタを懸吊するステップと、
上記液体混合物中の上記固体粒子を上記フィルタで凝集するステップであって、上記凝集するステップは、圧力差を付与することにより、上記フィルタを介する上記液体混合物中の上記液体の通過を促進するとともに、上記フィルタで集まり凝集するように、上記液体混合物中の上記固体粒子の蓄積を促進するステップを含み、
上記凝集した固体粒子を上記フィルタから除去するステップと、を含むことを特徴とする方法。
［項目２０］
上記フィルタは出口セクションへ接続されている項目１９に記載の方法。
［項目２１］
上記圧力差は、上記フィルタと出口セクションとの間に負圧を導入することによって付与される項目１９に記載の方法。
［項目２２］
上記圧力差は、上記フィルタと上記出口セクションとの間に液体吸引を導入することによって付与される項目２０に記載の方法。
［項目２３］
上記液体混合物は容器に収容され、上記圧力差は、上記容器内へ正圧を導入することによって選択的に付与される項目１９に記載の方法。
［項目２４］
上記フィルタを通過する上記液体の流量レートが最小閾値を超えるときに、上記圧力差が選択的に付与される項目１９に記載の方法。
［項目２５］
上記圧力差は、上記フィルタで凝集した上記固体粒子の厚さに基づいて、選択的に付与される項目１９に記載の方法。
［項目２６］
上記圧力差は、上記フィルタで凝集した上記固体粒子の層のコンシステンシーに基づいて、選択的に付与される項目１９に記載の方法。
［項目２７］
上記凝集した固体粒子が上記フィルタから除去されていないときに、上記圧力差が付与される項目１９に記載の方法。
［項目２８］
上記圧力差は、定期的に付与される項目１９に記載の方法。
［項目２９］
上記凝集した固体粒子は、定期的に上記フィルタから除去される項目１９に記載の方法。
［項目３０］
上記フィルタは、上記液体混合物中の上記固体粒子のサイズに基づいて、選択される項目１９に記載の方法。
［項目３１］
当該方法は連続的である項目１９に記載の方法。
［項目３２］
液体混合物中に含まれる固体を脱水するためのシステムであって、
外向きの外面と、反対に内向きの内面とを備えるフィルタを有し、デッドエンド方式で構成されたフィルタアセンブリと、ここで、上記フィルタは、液体が上記フィルタを通過することを可能とし、かつ１つ以上の固体粒子が上記フィルタを通過することを防止可能な複数の細孔を有しており、
上記フィルタの上記細孔で内方吸引を生成するように構成可能な液体除去アセンブリと、
衝撃波を上記フィルタへ付与するように構成可能な、上記フィルタと繋がった衝撃波アセンブリと、を含むことを特徴とするシステム。
［項目３３］
上記フィルタが、上記固体粒子を有する上記液体混合物中に懸吊されている場合に、上記液体除去アセンブリは、上記フィルタの上記細孔を介しての上記液体混合物中の上記液体の通過を促進するとともに、上記フィルタの上記外面で集まり凝集するように、上記液体混合物中の上記固体粒子の蓄積を促進する上記内方吸引を生成するよう構成可能である項目３２に記載のシステム。
［項目３４］
上記衝撃波アセンブリは、上記フィルタの上記外面から上記凝集した固体粒子を除去するように構成可能である項目３２に記載のシステム。
［項目３５］
上記フィルタアセンブリを通過する上記液体の流量レートを測定可能な液体流量計をさらに含む項目３２に記載のシステム。
［項目３６］
上記衝撃波アセンブリは、上記液体の上記流量レートが最小閾値未満であるときに、上記衝撃波を上記フィルタへ付与するよう構成可能である項目３５に記載のシステム。
［項目３７］
上記フィルタアセンブリへ接続された液体出口セクションをさらに含み、上記液体出口セクションは、上記フィルタアセンブリを通過する上記液体を排出可能である項目３２に記載のシステム。
［項目３８］
上記液体除去アセンブリは、上記フィルタアセンブリと上記液体出口セクションとの間に導入された液体吸引を含む項目３７に記載のシステム。
［項目３９］
上記液体混合物を収容するための容器をさらに含み、
上記内方吸引は、上記容器内へ正圧を導入することによって生成された圧力差である項目３２に記載のシステム。
［項目４０］
上記液体除去アセンブリは、上記液体の上記流量レートが最小閾値を超えるときに、上記内方吸引を生成するよう構成可能である項目３５に記載のシステム。
［項目４１］
上記液体除去アセンブリは、上記衝撃波アセンブリが上記衝撃波を上記フィルタへ付与しないときに、上記内方吸引を生成する項目３２に記載のシステム。
［項目４２］
上記フィルタはセラミック膜である項目３２に記載のシステム。
［項目４３］
コントローラをさらに含み、上記コントローラは、
上記内方吸引を生成するように上記液体除去アセンブリを構成可能かつ、
上記衝撃波を付与するように上記衝撃波アセンブリを構成可能である項目３２に記載のシステム。
［項目４４］
上記コントローラは液体流量計と繋がっており、上記液体流量計は上記フィルタアセンブリを介する上記液体のフローを測定可能である項目４３に記載のシステム。
［項目４５］
上記コントローラは、上記フィルタアセンブリを介する上記測定された液体流量が最小閾値を超えるときに、上記内方吸引を生成するよう上記液体除去アセンブリを構成する項目４４に記載のシステム。
［項目４６］
上記コントローラは、上記フィルタアセンブリを介する上記測定された液体流量が最小閾値未満であるときに、上記衝撃波を付与するよう上記衝撃波アセンブリを構成する項目４４に記載のシステム。
［項目４７］
上記コントローラは、上記液体除去アセンブリが上記内方吸引を生成しないように構成されているときに、上記衝撃波を付与するよう上記衝撃波アセンブリを構成する項目４３に記載のシステム。
［項目４８］
アンカーアセンブリをさらに含み、
上記コントローラは、第１の位置で上記フィルタアセンブリの上記フィルタを固定するように上記アンカーアセンブリを構成可能であり、上記第１の位置は、上記液体混合物を収容する容器の内側の位置であり、
上記コントローラは、上記アンカーアセンブリが上記第１の位置で上記フィルタを固定するよう構成されているときに、上記内方吸引を生成するよう上記液体除去アセンブリを構成可能である項目４３に記載のシステム。
［項目４９］
上記コントローラは、上記第１の位置と第２の位置との間で上記フィルタアセンブリの上記フィルタを動かすように上記アンカーアセンブリを構成可能であり、上記第２の位置は、上記容器の外側の位置であり、
上記コントローラは、上記アンカーアセンブリが上記第２の位置で上記フィルタを固定するよう構成されているときに、上記衝撃波を付与するよう上記衝撃波アセンブリを構成可能である項目４８に記載のシステム。
［項目５０］
固体を脱水するためのシステムを構成する方法であって、
露出したフィルタと、上記フィルタへ取り付けられた本体とを有するデッドエンド方式でフィルタアセンブリを構成するステップと、ここで、上記フィルタは複数の細孔を有しており、
液体を受け取りおよび排出することが可能な液体出口セクションを提供するステップと、
上記フィルタアセンブリの上記本体と上記液体出口セクションとの間に液体除去アセンブリを接続するステップと、
上記フィルタの上記細孔で内方吸引を選択的に適用するように上記液体除去アセンブリを構成するステップと、
上記フィルタへ衝撃波を選択的に付与するように衝撃波アセンブリを構成するステップと、を含むことを特徴とする方法。
［項目５１］
上記フィルタアセンブリを介する液体流量を測定するように、流量計を構成するステップをさらに含む項目５０に記載の方法。
［項目５２］
コントローラを提供するステップをさらに含み、
上記コントローラは、上記内方吸引を選択的に適用するように上記液体除去アセンブリを構成可能である項目５１に記載の方法。
［項目５３］
上記コントローラは、上記流量計と繋がって動作可能であり、
上記コントローラは、上記測定された液体流量が最小閾値を超えるときに、上記内方吸引を選択的に適用するよう上記液体除去アセンブリを構成する項目５２に記載の方法。
［項目５４］
さらに、上記コントローラは、上記衝撃波を選択的に付与するように上記衝撃波アセンブリを構成可能である項目５１に記載の方法。
［項目５５］
上記コントローラは、上記測定された液体流量が最小閾値未満であるときに、上記衝撃波を選択的に付与するよう上記衝撃波アセンブリを構成する項目５４に記載の方法。
［項目５６］
当該方法は連続的である項目５０に記載の方法。